(57)【要約】【課題】  本発明はフィードシステム内に応用するピックアップ装置を提供する。【解決手段】  ピックアップアーム、駆動シャフト、ブッシングを含む。ピックアップアームはピックアップアーム外側に設置するスリーブを含む。駆動バーはピックアップアームとスリーブを貫通する。ブッシングは駆動バーに設置され、ブッシングは少なくとも一つの可撓の羽根が前記スリーブの内側に接触することを含む。中でも羽根は、スリーブの外縁から延ばした高さがスリーブの外縁からスリーブ内縁の距離までより大きい。【選択図】図２Ｂ
2008030945.tif 000002
【特許請求の範囲】
【請求項１】
ピックアップアームと、外側に設置したスリーブと、
前記ピックアップアームと前記スリーブを貫通する駆動シャフトと、
前記駆動シャフトに設置され、少なくとも一つの可撓の羽根が前記スリーブの内側に接触するブッシングとを具備し、
前記羽根は、前記スリーブの外縁から延ばした高さが前記スリーブの外縁から前記スリーブ内縁の距離までより大きいことを特徴とするピックアップ装置。
【請求項２】
前記ピックアップアームはフレームであり、前記スリーブは前記フレームの外側に設置され、
前記フレームの内側に設置されると共に、前記駆動シャフトを貫通させるパーティション用のロールを更に含むことを特徴とする、請求項１に記載するピックアップ装置。
【請求項３】
前記羽根はゴム板であることを特徴とする、請求項１に記載するピックアップ装置。
【請求項４】
前記羽根は金属弾性板であることを特徴とする、請求項１に記載するピックアップ装置。
【発明の詳細な説明】
【技術分野】
【０００１】
本発明はピックアップ装置に関し、特にフィードシステムに応用し書類を一枚一枚送るピックアップ装置を指す。
【背景技術】
【０００２】
スキャナ、ファクシミリ、複写機或いはプリンターなどのOA事務機器において、常に積層している書類を順に送るようにフィードシステムを設置して、後のスキャナ、ファクシミリ、複写機或いはプリンターなどの動作を完了する。その中に、普通はフィードシステムは、一番上にある書類の前縁と接触するピックアップ装置を設置し、書類を一枚一枚おくる。
【０００３】
図１Ａと図１Ｂは従来のフィードシステムにおけるピックアップ装置の位置概略図である。図１Ａに示すピックアップ装置はフィード位置まで移動されフィード作業を行う状態で、図１Ｂはピックアップ装置がフィード作業を完了した後、予備位置まで移動する状態である。以下に図１Ａと図１Ｂを参照しながらピックアップ装置の動作状態を説明する。
【０００４】
まず、図１Ａを参照するに、フィードシステム１がフィードを行なう時に、ピックアップ装置２の駆動バー２１はモーター（図示せず）の伝動によりR１の方向に沿って回転するため、ピックアップ装置２のピックアップアーム２２はフィード位置まで下降する。その後、ピックアップアーム２２はピックアップアーム用のロール２２１により書類Ｓを送り、且つパーティション用のロール２２２の動作により毎回一枚の書類Ｓのみをフィードシステム１内部に送るようにする。
【０００５】
次に図１Ｂを参照するに、フィードを完了すると、モーターは反対方向で駆動バー２１を連動し、R２の方向に沿って回転しピックアップ装置２のピックアップアーム２２は予備位置まで上昇する。
【０００６】
従来に係るフィードシステム１は、単一方向のスプリングクラッチにより駆動バー２１がピックアップアーム２２をフィード位置或いは予備位置まで移動するようにする。また、図１Ｃは従来に係るピックアップ装置２の傾斜図であり、ピックアップ装置２はさらに駆動バー２１とピックアップアーム２２に連結する単一方向のスプリングクラッチ２３A、２３Bを含む。その原理は以下に示す。
【０００７】
（１）図１Ａ乃至図１Ｃを参照する。フィードシステム１がフィードを行なう時に単一方向のスプリングクラッチ２３Aは駆動バー２１をR１の向きに回転でき、その後、ピックアップアーム２２はフィード位置まで下降する。フィードを完了すると、R１の向きに回転する駆動バー２１は単一方向のスプリングクラッチ２３Aに係止されるため、ピックアップアーム２２による負荷を解決し、ピックアップアーム２２は予備位置まで上がる。
（２）図１Ａ乃至図１Ｃを参照する。ピックアップアーム２２が予備位置を越え上端のフタ３に当たり、駆動バー２１が回転を停止していない場合は、ピックアップ装置２はもう一つの単一方向のスプリングクラッチ２３Bにより駆動バー２１をR２の向きにアイドリングさせ、ピックアップアーム２２は上端のフタ３を開けることができない。
【０００８】
米国第６３９０４６３号の特許公報は、２個の単一方向のクラッチを持つピックアップ装置を示している。
【０００９】
従来に係るフィードシステム１は２個の単一方向のクラッチ２３A、２３Bを装着しなければならず、ピックアップ装置２をうまく動かすためフィードシステム１のコストとピックアップ装置２の困難度を高くしていた。
【発明の開示】
【発明が解決しようとする課題】
【００１０】
本発明はフィードシステム内に応用するピックアップ装置を提供し、スプリングクラッチに代えて可撓を有する羽根のブッシングを利用するため、ピックアップ装置での構造の複雑さを低下すると共に、フィードシステムのコストを小さくすることを目的とする。
【課題を解決するための手段】
【００１１】
本発明が提供するピックアップ装置は、ピックアップアームと、外側に設置したスリーブと、前記ピックアップアームと前記スリーブを貫通する駆動シャフトと、前記駆動シャフトに設置され、少なくとも一つの可撓の羽根が前記スリーブの内側に接触するブッシングを具備し、前記羽根は、前記スリーブの外縁から延ばした高さが前記スリーブの外縁から前記スリーブ内縁の距離までより大きいことを特徴とするピックアップ装置である。
【００１２】
好ましいピックアップ装置のピックアップアームはフレームであり、スリーブはフレームの外側に設置され、フレームの内側に設置されると共に、駆動シャフトを貫通するパーティション用のロールを更に含む。
【００１３】
好ましいピックアップ装置の羽根はゴム板である。
【００１４】
好ましいピックアップ装置の羽根は金属弾性板である。
【発明の効果】
【００１５】
本発明に係るピックアップ装置の効果は、ピックアップ装置の構造の複雑さを低下すると共に、フィードシステムのコストを小さくする。
【発明を実施するための最良の形態】
【００１６】
図２Ａは本発明に係る実施例が提供するピックアップ装置を示す傾斜図で、図２Ｂはこのピックアップ装置を示す傾斜分解図である。
【００１７】
図２Ａと図２Ｂを参照する。ピックアップ装置４は駆動バー４１、ピックアップアーム４２、ブッシング４３を含む。ピックアップアーム４２はピックアップアーム用のロール４２１、パーティション用のロール４２２、フレーム４２３を含み、その中に、ピックアップアーム用のロール４２１とパーティション用のロール４２２はフレーム４２３の内側に装着される。また、フレーム４２３はブッシング４３を収納するようにフレーム４２３外側に設置するスリーブ４２３Aを有する。駆動バー４１はパーティション用のロール４２２とスリーブ４２３Aを貫通した後、ピックアップアーム４２に組立てられ、且つフィードシステム（図示せず）により連動し、ピックアップアーム４２をフィード位置或いは予備位置まで移動する。
【００１８】
本実施例が提供するピックアップ装置４については、特に駆動バーに嵌めるブッシング４３を設置し、ブッシング４３の外縁４３’から可撓の羽根４３１を複数伸ばし、羽根４３１は、スリーブ４３の外縁から延ばした高さHがスリーブ４３の外縁からスリーブ４２３A’内縁の間の距離Rまでより大きい。こうして、ブッシング４３が駆動バー４１に組み立てられR1の回転方向にそってスリーブ４２３Aからねじれると、羽根４３１は曲げ状によりスリーブ４２３Aの内縁４２３A’に貼り付く。
【００１９】
図３Ａと図３Ｂはピックアップ装置４に係る側端を示す概略図であり、駆動バー４１が如何にブッシング４３によりピックアップアーム４２がフィード位置或いは予備位置まで移動する場合を説明する。
【００２０】
まず、図３Ａを参照する。フィードを行なうと駆動バー４１が連動し、R1の回転方向にそって回転し、この時に、曲げの羽根４３１がスリーブ４２３Aの内縁４２３A’に与える力P１は、ピックアップアーム４２の重さが駆動バー４１に与える負荷より小さいため、ピックアップアーム４２はフィード位置まで移動しフィードを行なうようにする。次に図３Bを参照する。フィードを完了すると駆動バー４１が連動してR2の回転方向にそって回転し、このときに、可撓の羽根４３１は図３Ｂのように曲げを複数回発生するため、羽根４３１がスリーブ４２３Aの内縁４２３A’に与える力P１とP2はピックアップアーム４２の重さが駆動バー４１に与える負荷より大きいため、駆動バー４１がピックアップアーム４２をフィード位置から予備位置まで上げる。
【００２１】
図３Ｂを参照する。駆動バー４１がR２の回転方向にそって回転し、ピックアップアーム４２が予備位置を超えフィードシステム（図示しない）の上端フタに当たる。駆動バー４１が回転し続けるとピックアップ装置４は可撓の羽根４３１により駆動バー４１の回転を緩衝するため、ピックアップアーム４２が上端フタを開けることを避けることができる。
【００２２】
図２Ｂを参照する。本発明が提供するピックアップ装置４において、ブッシング４３に設置され可撓を有する羽根４３１はゴム材料或いは金属材料によるゴム板、或いは金属弾性板を利用し、且つピックアップアーム４２の重さとサイズによって羽根４３１がブッシング４３の外縁４３’から延ばした高さＨ、羽根４３１がブッシング４３の外縁４３’から延ばした深さＤ、或いは羽根４３１の数を調整する。例えば、ブッシング４３と重いピックアップアーム４２を組み合わせると、ブッシング４３の外縁４３‘は長い高さＨ、深い深さＤあるいは数が多い羽根４３１となり、羽根４３１とスリーブ４２３Aの内縁４２３’の間の摩擦が増加してピックアップアーム４２を予備位置まで上げる。
【００２３】
上記に述べたことは本発明の技術思想と特徴というだけで、その目的はこの領域を熟知している技術者により本発明の内容を理解し実行することを目的とし、もちろん本発明の特許請求の範囲を制限するものではなく、即ち本発明が掲示する精神により等価な変化或いは変更を行なうことは、すべて上記の特許請求の範囲内に含まれる。
【図面の簡単な説明】
【００２４】
【図１Ａ】従来に係るフィードシステムのピックアップ装置がフィード位置にある概略図。
【図１Ｂ】従来に係るフィードシステムのピックアップ装置が予備位置にある概略図。
【図１Ｃ】従来に係るピックアップ装置の傾斜図。
【図２Ａ】本発明に係るピックアップ装置の好ましい実施例の傾斜図。
【図２Ｂ】図２Aに係るピックアップ装置の分解図。
【図３Ａ】本発明に係るピックアップ装置がフィード位置にある時の側面概略図。
【図３Ｂ】本発明に係るピックアップ装置が予備位置にある時の側面概略図。
【符号の説明】
【００２５】
１      フィードシステム
２      ピックアップ装置
２１    駆動シャフト
２２    ピックアップアーム
２２１  ピックアップアーム用のロール
２２２  パーティション用のロール
Ｓ      書類
２３A  単一方向のクラッチ
２３B  単一方向のクラッチ
３      上端のフタ
４      ピックアップ装置
４１    駆動シャフト
４２    ピックアップアーム
４２１  ピックアップアーム用のロール
４２２  パーティション用のロール
４２３  フレーム
４２３A  スリーブ
４２３A‘  内縁
４３    ブッシング
４３‘  外縁
４３１  羽根
R1      回転方向
R2      回転方向
H      高さ
R      距離
D      深さ
P1    力
P2    力
【図１Ａ】
2008030945.tif 000003
【図１Ｂ】
2008030945.tif 000004
【図１Ｃ】
2008030945.tif 000005
【図２Ａ】
2008030945.tif 000006
【図２Ｂ】
2008030945.tif 000007
【図３Ａ】
2008030945.tif 000008
【図３Ｂ】
2008030945.tif 000009